(57)【要約】【課題】リーダライタ機能とＲＦＩＤメディア機能とを有する構成において、近接したＲＦＩＤメディアに対してリーダライタ機能がデータの書き込みや読み出しを行う場合に、ＲＦＩＤメディア機能に対してもデータの書き込みや読み出しが行われてしまうことを廉価な構成で回避する。【解決手段】内蔵リーダライタ１０とＲＦタグ２０とを有し、内蔵リーダライタ１０からデータの書き込みや読み出しに用いる電磁波を送信している間、スイッチ２６によってＲＦタグ２０のアンテナ２１とタグ本体部２２とを非導通状態とすることでＲＦタグ２０の動作を停止させる。【選択図】図１
2016218828.tif 000002
【特許請求の範囲】
【請求項１】
電磁波を送受信することでＲＦＩＤメディアに対して非接触状態にてデータの書き込みや読み出しを行う内蔵リーダライタと、
前記内蔵リーダライタの規格と互換性がある規格を具備し、リーダライタによって非接触状態にてデータの書き込みや読み出しが行われるＲＦタグと、
前記内蔵リーダライタからデータの書き込みや読み出しに用いる電磁波を送信している間、前記ＲＦタグの動作を停止させるタグ動作規制手段とを有する、非接触通信装置。
【請求項２】
請求項１に記載の非接触通信装置において、
前記ＲＦタグは、
非接触通信用アンテナと、
前記非接触通信用アンテナを介して電磁波を送受信することで非接触状態にてデータの書き込みや読み出しが行われるタグ本体部と、
前記非接触通信用アンテナと前記タグ本体部との接続状態を切り替えるスイッチとを有し、
前記タグ動作規制手段は、前記内蔵リーダライタからデータの書き込みや読み出しに用いる電磁波を送信している間、前記スイッチによって前記非接触通信用アンテナと前記タグ本体部との接続状態を非導通状態とする、非接触通信装置。
【請求項３】
請求項１に記載の非接触通信装置において、
前記タグ動作規制手段は、前記内蔵リーダライタからデータの書き込みや読み出しに用いる電磁波を送信する際、前記ＲＦタグの動作を停止させる動作停止命令を前記内蔵リーダライタを介して前記ＲＦタグに送信し、
前記ＲＦタグは、前記動作停止命令を受信した場合に動作を停止する、非接触通信装置。
【発明の詳細な説明】
【技術分野】
【０００１】
本発明は、非接触通信を行う非接触通信装置に関する。
【背景技術】
【０００２】
昨今、情報化社会の進展に伴って、商品等に貼付されるラベルやタグに情報を記録し、このラベルやタグを用いて商品等の管理が行われている。ラベルやタグを用いた情報管理においては、ラベルやタグに対して非接触通信によって情報の書き込みや読み出しを行うことが可能なＩＣチップが搭載された非接触型ＩＣラベルや非接触型ＩＣタグ等のＲＦＩＤメディアがその優れた利便性から急速な普及が進みつつある。このようなＲＦＩＤメディアは、リーダライタから送信される電磁波を用いて非接触状態にて情報の書き込みや読み出しが行われる。
【０００３】
近年、このようなリーダライタにＲＦＩＤメディア機能を持たせたいという需要が増えてきている。それに対して、例えば、非特許文献１には、上述したようなリーダライタ機能とＲＦＩＤメディア機能とを１つのＩＣチップで制御することで、リーダライタとＲＦＩＤメディアとのどちらとしても使用することができる携帯端末が開示されている。
【０００４】
ところが、リーダライタ機能とＲＦＩＤメディア機能とを１つのＩＣチップで制御するものにおいては、ＩＣチップ自体が高価なものとなり、装置全体の価格が高くなってしまう。そこで、リーダライタにＲＦＩＤメディアをただ単に搭載することで１つの非接触通信装置を構成すれば、装置全体の価格を高いものとすることなく、リーダライタにＲＦＩＤメディア機能を持たせることができる。
【先行技術文献】
【非特許文献】
【０００５】
【非特許文献１】http://www.atmarkit.co.jp/ait/articles/1303/25/news054.html
【発明の概要】
【発明が解決しようとする課題】
【０００６】
上述したようにリーダライタにＲＦＩＤメディアを搭載することで１つの非接触通信装置を構成する場合、リーダライタとＲＦＩＤメディアとは、互いに同一規格あるいは互換性がある規格を有するものとなる。そのため、この非接触通信装置に近接したＲＦＩＤメディアに対して非接触通信装置内のリーダライタにて情報の書き込みや読み出しを行う場合、非接触通信装置内のＲＦＩＤメディアに対しても情報の書き込みや読み出しが行われてしまうという問題点がある。
【０００７】
本発明は、上述したような従来の技術が有する問題点に鑑みてなされたものであって、リーダライタ機能とＲＦＩＤメディア機能とを有する構成において、近接したＲＦＩＤメディアに対してリーダライタ機能がデータの書き込みや読み出しを行う場合に、ＲＦＩＤメディア機能に対してもデータの書き込みや読み出しが行われてしまうことを廉価な構成で回避することができる非接触通信装置を提供することを目的とする。
【課題を解決するための手段】
【０００８】
上記目的を達成するために本発明は、
電磁波を送受信することでＲＦＩＤメディアに対して非接触状態にてデータの書き込みや読み出しを行う内蔵リーダライタと、
前記内蔵リーダライタの規格と互換性がある規格を具備し、リーダライタによって非接触状態にてデータの書き込みや読み出しが行われるＲＦタグと、
前記内蔵リーダライタからデータの書き込みや読み出しに用いる電磁波を送信している間、前記ＲＦタグの動作を停止させるタグ動作規制手段とを有する。
【０００９】
上記のように構成された本発明においては、電磁波を送受信することでＲＦＩＤメディアに対して非接触状態にてデータの書き込みや読み出しを行う内蔵リーダライタと、内蔵リーダライタの規格と互換性がある規格を具備し、リーダライタによって非接触状態にてデータの書き込みや読み出しが行われるＲＦタグとを有する構成とすることにより、廉価な構成で、リーダライタ機能とＲＦＩＤメディア機能とを持たせることができ、また、内蔵リーダライタからデータの書き込みや読み出しに用いる電磁波を送信している間、タグ動作規制手段によってＲＦタグの動作が停止するので、近接したＲＦＩＤメディアに対して内蔵リーダライタがデータの書き込みや読み出しを行う場合に、ＲＦタグに対してもデータの書き込みや読み出しが行われてしまうことが回避される。
【００１０】
また、上記のような構成を、ＲＦタグが、非接触通信用アンテナと、非接触通信用アンテナを介して電磁波を送受信することで非接触状態にてデータの書き込みや読み出しが行われるタグ本体部と、非接触通信用アンテナとタグ本体部との接続状態を切り替えるスイッチとを有し、タグ動作規制手段が、内蔵リーダライタからデータの書き込みや読み出しに用いる電磁波を送信している間、スイッチによって非接触通信用アンテナとタグ本体部との接続状態を非導通状態とすることで実現すれば、簡易な構成で上記作用を生じさせることができる。
【００１１】
また、タグ動作規制手段が、内蔵リーダライタからデータの書き込みや読み出しに用いる電磁波を送信する際、ＲＦタグの動作を停止させる動作停止命令を内蔵リーダライタを介してＲＦタグに送信し、ＲＦタグが、動作停止命令を受信した場合に動作を停止することで上記のような構成を実現すれば、ＲＦタグに新たなハードウェアを追加することなく上記作用を生じさせることができる。
【発明の効果】
【００１２】
本発明によれば、内蔵リーダライタとＲＦタグとを有し、内蔵リーダライタからデータの書き込みや読み出しに用いる電磁波を送信している間、ＲＦタグの動作を停止させることにより、リーダライタ機能とＲＦＩＤメディア機能とを有する構成において、近接したＲＦＩＤメディアに対してリーダライタ機能がデータの書き込みや読み出しを行う場合に、ＲＦＩＤメディア機能に対してもデータの書き込みや読み出しが行われてしまうことを廉価な構成で回避することができる。
【００１３】
また、ＲＦタグが、非接触通信用アンテナと、非接触通信用アンテナを介して電磁波を送受信することで非接触状態にてデータの書き込みや読み出しが行われるタグ本体部と、非接触通信用アンテナとタグ本体部との接続状態を切り替えるスイッチとを有し、タグ動作規制手段が、内蔵リーダライタからデータの書き込みや読み出しに用いる電磁波を送信している間、スイッチによって非接触通信用アンテナとタグ本体部との接続状態を非導通状態とするものにおいては、簡易な構成で上記効果を得ることができる。
【００１４】
また、タグ動作規制手段が、内蔵リーダライタからデータの書き込みや読み出しに用いる電磁波を送信する際、ＲＦタグの動作を停止させる動作停止命令を内蔵リーダライタを介してＲＦタグに送信し、ＲＦタグが、動作停止命令を受信した場合に動作を停止するものにおいては、ＲＦタグに新たなハードウェアを追加することなく上記効果を得ることができる。
【図面の簡単な説明】
【００１５】
【図１】本発明の非接触通信装置の第１の実施の形態の構成を示すブロック図である。
【図２】図１に示した非接触通信装置の動作を説明するためのフローチャートである。
【図３】図１に示した非接触通信装置のスイッチの状態を示す図である。
【図４】図１に示した非接触通信装置の使用状態を示す図である。
【図５】本発明の非接触通信装置の第２の実施の形態の構成を示すブロック図である。
【図６】図５に示した非接触通信装置のスイッチの状態を示す図である。
【図７】本発明の非接触通信装置の第３の実施の形態の構成を示すブロック図である。
【図８】図７に示した非接触通信装置の動作を説明するためのフローチャートである。
【発明を実施するための形態】
【００１６】
以下に、本発明の実施の形態について図面を参照して説明する。
【００１７】
（第１の実施の形態）
図１は、本発明の非接触通信装置の第１の実施の形態の構成を示すブロック図である。
【００１８】
本形態は図１に示すように、筐体３０内に、内蔵リーダライタ１０と、ＲＦタグ２０とが内蔵されて構成されている。また、筐体３０内には、タグ動作規制手段となるＣＰＵ４０が内蔵されている。
【００１９】
内蔵リーダライタ１０は、電磁波を送受信することでＲＦＩＤメディアに対して非接触状態にてデータの書き込みや読み出しを行うものであって、非接触通信用のアンテナ１１と、リーダライタ本体部１２とを有している。
【００２０】
リーダライタ本体部１２は、変調部１３と、復調部１４と、制御部１５とを有している。変調部１３は、制御部１５から出力された送信データを発振器（不図示）にて発生するキャリア波に乗せてアンテナ１１を介して電磁波として送信する。復調部１４は、アンテナ１１を介して受信した電磁波を復調することで受信データを抽出し、制御部１５に出力する。制御部１５は、ＲＦＩＤメディアに送信する送信データを変調部１３に出力し、また、復調部１４から出力された受信データに基づく制御を行う。
【００２１】
ＲＦタグ２０は、リーダライタによって非接触状態にてデータの書き込みや読み出しが行われるものであって、非接触通信用のアンテナ２１と、タグ本体部２２と、スイッチ２６とを有している。
【００２２】
タグ本体部２２は、インタフェース部２３と、制御部２４と、メモリ２５とを有している。インタフェース部２３は、リーダライタとアンテナ２１との間にて生じた電磁誘導により電力を生成して制御部２４に供給し、また、アンテナ２１を介して受信した電磁波から受信データを抽出して制御部２４に出力する。また、インタフェース部２３は、制御部２４にてメモリ２５から読み出されたデータをアンテナ２１を介して電磁波として送信する。制御部２４は、インタフェース部２３から出力された受信データに基づいて、メモリ２５に対するデータの書き込みや読み出しを行う。スイッチ２６は、アンテナ２１とＲＦタグ本体部２２との接続状態を切り替えるためのものである。
【００２３】
ＣＰＵ４０は、内蔵リーダライタ１０からデータの書き込みや読み出しに用いる電磁波を送信している間、スイッチ２６によってアンテナ２１とＲＦタグ本体部２２とを非導通状態とする。
【００２４】
上記のように構成された非接触通信装置１においては、内蔵リーダライタ１０とＲＦタグ２０とが同一規格を具備していることにより、内蔵リーダライタ１０においても、ＲＦタグ２０に対してデータの書き込みや読み出しが可能なものとなっている。
【００２５】
以下に、上述した非接触通信装置１の動作について説明する。
【００２６】
図２は、図１に示した非接触通信装置１の動作を説明するためのフローチャートである。図３は、図１に示した非接触通信装置１のスイッチ２６の状態を示す図である。図４は、図１に示した非接触通信装置１の使用状態を示す図である。
【００２７】
図１に示した非接触通信装置１にて内蔵リーダライタ１０が動作している状態において（ステップ１）、内蔵リーダライタ１０が、近接するＲＦＩＤメディアと非接触通信を行うための送信データをアンテナ１１を介して電磁波として送信すると（ステップ２）、制御部１５は、その旨をＣＰＵ４０に通知する。
【００２８】
ＣＰＵ４０は、制御部１５からの通知を受けると、スイッチ２６をＯＦＦ状態とする（ステップ３）。すると、図３（ａ）に示すように、アンテナ２１が開放状態となり、アンテナ２１とＲＦタグ本体部２２とが非導通状態となる。
【００２９】
ここで、内蔵リーダライタ１０とＲＦタグ２０とは、上述したように、同一規格を具備していることにより、内蔵リーダライタ１０においても、ＲＦタグ２０に対してデータの書き込みや読み出しが可能となっているが、ＲＦタグ２０が、アンテナ２１とＲＦタグ本体部２２とが非導通状態となることによって動作が停止し、それにより、内蔵リーダライタ１０から送信された送信データが、タグ本体部２２にて受信されないことになる（ステップ４）。
【００３０】
このような状態で、図４（ａ）に示すように非接触通信装置１にＲＦＩＤメディアとなるＩＣタグ２が近接すると、内蔵リーダライタ１０からキャリア波に乗せられて送信された送信データがＩＣタグ２にて受信され、その後、その送信データに対するＩＣタグ２からの応答信号がアンテナ１１を介して電磁波として受信され、内蔵リーダライタ１０とＩＣタグ２との間にて電磁波を用いてデータの送受信が行われることになる。その際、内蔵リーダライタ１０において、制御部１５から出力された送信データを変調部１３にてキャリア波に乗せてアンテナ１１を介して電磁波として送信し、また、ＩＣタグ２から送信されてアンテナ１１を介して受信した電磁波を復調部１４が復調することで、電磁波に乗せられた受信データを抽出し、制御部１５において受信データに基づく制御を行う。このようにして、非接触通信装置１が、ＩＣタグ２に対して非接触状態にてデータの書き込みや読み出しを行うことになる。
【００３１】
一方、ＲＦタグ２０においては、動作が停止しているため、内蔵リーダライタ１０によるデータの書き込みや読み出しは行われない。
【００３２】
その後、内蔵リーダライタ１０がＩＣタグ２との通信を終える等により、アンテナ１１を介しての電磁波としての送信データの送信が停止すると（ステップ５）、制御部１５は、その旨をＣＰＵ４０に通知する。
【００３３】
ＣＰＵ４０は、制御部１５からの通知を受けると、スイッチ２６をＯＮ状態に切り替える（ステップ６）。すると、図３（ｂ）に示すように、アンテナ２１とＲＦタグ本体部２２とが導通状態となる。
【００３４】
そして、アンテナ２１とＲＦタグ本体部２２とが導通状態となることにより、ＲＦタグ２０の動作が再開する（ステップ７）。
【００３５】
このような状態で、図４（ｂ）に示すように非接触通信装置１を外部のリーダライタ３に近接させると、リーダライタ３からキャリア波に乗せられて送信された送信データが、ＲＦタグ２０のアンテナ２１を介して受信され、その後、その送信データに対してＲＦタグ２０からデータをアンテナ２１を介して電磁波として送信することにより、リーダライタ３とＲＦタグ２０との間にて電磁波を用いてデータの送受信が行われることになる。その際、インタフェース部２３は、リーダライタ３とアンテナ２１との間にて生じた電磁誘導により電力を生成して制御部２４に供給し、また、アンテナ２１を介して受信した電磁波から受信データを抽出して制御部２４に出力する。また、リーダライタ３から送信されてきた送信データが、データを書き込むコマンドである場合は、制御部２４がそのデータをメモリ２５に書き込み、また、リーダライタ３から送信されてきた送信データが、データを読み出すコマンドである場合は、制御部２４がメモリ２５からデータを読み出し、アンテナ２１を介して電磁波として送信する。このようにして、非接触通信装置１において、リーダライタ３によって非接触状態にてデータの書き込みや読み出しが行われることになる。
【００３６】
このように、本形態においては、筐体３０内に、電磁波を送受信することでＲＦＩＤメディアに対して非接触状態にてデータの書き込みや読み出しを行う内蔵リーダライタ１０と、内蔵リーダライタ１０の規格と同一規格を具備し、リーダライタによって非接触状態にてデータの書き込みや読み出しが行われるＲＦタグ２０とをただ単に内蔵する構成とすることにより、廉価な構成で、リーダライタ機能とＲＦＩＤメディア機能とを持たせることができる。また、内蔵リーダライタ１０からデータの書き込みや読み出しに用いる電磁波を送信している間、ＣＰＵ４０によってスイッチ２６をＯＦＦ状態とすることで、ＲＦタグ２０のアンテナ２１とＲＦタグ本体部２２とが非導通状態となり、ＲＦタグ２０の動作が停止するので、近接したＲＦＩＤメディアに対して内蔵リーダライタ１０がデータの書き込みや読み出しを行う場合に、ＲＦタグ２０に対してもデータの書き込みや読み出しが行われてしまうことを簡易な構成で回避することができる。
【００３７】
（第２の実施の形態）
図５は、本発明の非接触通信装置の第２の実施の形態の構成を示すブロック図である。
【００３８】
本形態は図５に示すように、第１の実施の形態に示したものに対して、リーダライタ本体部１１２が共用アンテナ１５０に接続されているとともに、タグ本体部１２２もスイッチ１２６を介して共用アンテナ１５０に接続された構成となっている点が異なるものである。すなわち、本形態の非接触通信装置１０１は、リーダライタ本体部１１２と共用アンテナ１５０とから内蔵リーダライタが構成され、タグ本体部１２２と共用アンテナ１５０とからＲＦタグが構成されている。
【００３９】
上記のように構成された非接触通信装置１０１においては、タグ本体部１２２と共用アンテナ１５０との接続状態が、第１の実施の形態にて示したものと同様に切り替えられることで、タグ本体部１２２と共用アンテナ１５０とからなるＲＦタグの動作の停止及び再開が制御されることになる。
【００４０】
図６は、図５に示した非接触通信装置１０１のスイッチ１２６の状態を示す図である。
【００４１】
本形態における非接触通信装置１０１においては、リーダライタ本体部１１２から、近接するＲＦＩＤメディアと非接触通信を行うための送信データを共用アンテナ１５０を介して電磁波として送信する際、第１の実施の形態にて示したものと同様に、ＣＰＵ１４０がスイッチ１２６をＯＦＦ状態とする。
【００４２】
すると、図６（ａ）に示すように、共用アンテナ１５０のタグ本体部１２２側が開放状態となり、共用アンテナ１５０とＲＦタグ本体部１２２とが非導通状態となる。これにより、共用アンテナ１５０が、リーダライタ本体部１１２のみにて使用されることとなり、タグ本体部１２２と共用アンテナ１５０とからなるＲＦタグの動作が停止し、リーダライタ本体部１１２から送信された送信データが、タグ本体部１２２にて受信されない状態となる。
【００４３】
このような状態で、非接触通信装置１０１にＲＦＩＤメディアが近接すると、リーダライタ本体部１１２から共用アンテナ１５０を介して送信された送信データがＲＦＩＤメディアにて受信され、その後、その送信データに対するＲＦＩＤメディアからの応答信号が共用アンテナ１５０を介して電磁波として受信され、リーダライタ本体部１１２とＲＦＩＤメディアとの間にて電磁波を用いてデータの送受信が行われることになる。
【００４４】
その後、リーダライタ本体部１１２がＲＦＩＤメディアとの通信を終える等により、共用アンテナ１５０を介しての電磁波としての送信データの送信が停止すると、ＣＰＵ１４０がスイッチ１２６をＯＮ状態に切り替える。
【００４５】
すると、共用アンテナ１５０とＲＦタグ本体部１２２とが導通状態となり、それにより、タグ本体部１２２と共用アンテナ１５０とからなるＲＦタグの動作が再開する。
【００４６】
このような状態で、非接触通信装置１０１を外部のリーダライタに近接させると、リーダライタから送信された送信データが、共用アンテナ１５０を介してタグ本体部１２２にて受信され、その後、その送信データに対してタグ本体部１２２から送信データを共用アンテナ１５０を介して電磁波として送信することにより、リーダライタとタグ本体部１２２との間にてデータの送受信が行われることになる。この際、共用アンテナ１５０は、リーダライタ本体部１１２とも導通状態となっているが、リーダライタ本体部１１２からの共用アンテナ１５０を介しての電磁波として送信データの送信が停止しているため、タグ本体部１２２における共用アンテナ１５０を介してのデータの受信が、リーダライタ本体部１１２の影響を受けることはない。
【００４７】
なお、上述した２つの実施の形態においては、スイッチ２６，１２６をＯＦＦ状態とした際、ＲＦタグ２０のアンテナ２１を開放状態、または、共用アンテナ１５０のタグ本体部１２２側を開放状態とすることにより、アンテナ２１または共用アンテナ１５０とタグ本体部２２，１２２とを非導通状態としているが、スイッチ２６，１２６をＯＦＦ状態とした際、ＲＦタグ２０のアンテナ２１を接地短絡状態、または、共用アンテナ１５０のタグ本体部１２２側を接地短絡状態とすることにより、アンテナ２１または共用アンテナ１５０とタグ本体部２２，１２２とを非導通状態としてもよい。
【００４８】
（第３の実施の形態）
図７は、本発明の非接触通信装置の第３の実施の形態の構成を示すブロック図である。
【００４９】
本形態は図７に示すように、第１の実施の形態に示したものに対して、ＲＦタグ２２０の動作の停止及び再開を制御するためのスイッチ２６が設けられていない点が異なるものである。
【００５０】
本形態における非接触通信装置２０１は、内蔵リーダライタ２１０からＲＦＩＤメディアに対してデータの書き込みや読み出しに用いる電磁波を送信する際、ＣＰＵ２４０が、ＲＦタグ２２０の動作を停止させる動作停止命令を内蔵リーダライタ２１０を介してＲＦタグ２２０に送信し、ＲＦタグ２２０が、内蔵リーダライタ２１０から送信されてきた動作停止命令を受信した場合、睡眠フラグを“１”にセットして動作を停止する。
【００５１】
以下に、本形態における非接触通信装置２０１の動作について説明する。
【００５２】
図８は、図７に示した非接触通信装置２０１の動作を説明するためのフローチャートである。
【００５３】
図７に示した非接触通信装置２０１にて内蔵リーダライタ２１０が動作している状態において（ステップ１０１）、内蔵リーダライタ２１０が、近接するＲＦＩＤメディアと非接触通信を行うための送信データをアンテナ２１１を介して電磁波として送信する際（ステップ１０２）、制御部２１５は、その旨をＣＰＵ２４０に通知する。
【００５４】
ＣＰＵ２４０は、制御部２１５からの通知を受けると、ＲＦタグ２２０の動作を停止させるための動作停止命令を送信する旨を制御部２１５に指示する。すると、制御部２１５は、ＲＦタグ２２０の制御部２２４に、ＲＦＩＤタグ２２０の動作が停止する睡眠フラグを“１”に設定させるための動作停止命令を変調部２１３及びアンテナ２１１を介して送信する（ステップ１０３）。
【００５５】
アンテナ２１１を介して送信された動作停止命令がＲＦタグ２２０のアンテナ２２１を介してタグ本体部２２２にて受信されると、制御部２２４が睡眠フラグを“１”に設定し（ステップ１０４）、それにより、ＲＦタグ２２０の動作が停止する（ステップ１０５）。なお、ＲＦタグ２２０は、睡眠フラグが“１”に設定されていることにより、動作が停止している間においては、内蔵リーダライタ２１０や外部のリーダライタとの間における非接触通信によるデータの書き込みや読み出しが停止しているものの、内蔵リーダライタ２１０から送信されたコマンドのみは受信可能な状態となっている。
【００５６】
このような状態で、非接触通信装置２０１にＲＦＩＤメディアが近接すると、リーダライタ本体部２１２からアンテナ２１１を介して送信された送信データがＲＦＩＤメディアにて受信され、その後、その送信データに対するＲＦＩＤメディアからの応答信号がアンテナ２１１を介して電磁波として受信され、リーダライタ本体部２１２とＲＦＩＤメディアとの間にて電磁波を用いてデータの送受信が行われることになる。
【００５７】
一方、ＲＦタグ２２０においては、動作が停止しているため、内蔵リーダライタ２１０によるデータの書き込みや読み出しは行われない。
【００５８】
その後、内蔵リーダライタ２１０がＲＦＩＤメディアとの通信を終える等により、アンテナ２１１を介しての電磁波としての送信データの送信が停止すると（ステップ１０６）、制御部２１５は、その旨をＣＰＵ２４０に通知する。
【００５９】
ＣＰＵ２４０は、制御部２１５からの通知を受けると、ＲＦタグ２２０の動作を再開させるための動作再開命令を送信する旨を制御部２１５に指示する。すると、制御部２１５は、ＲＦタグ２２０の制御部２２４に、ＲＦＩＤタグ２２０の動作が停止する睡眠フラグを“０”に設定させるための動作再開命令を変調部２１３及びアンテナ２１１を介して送信する（ステップ１０７）。
【００６０】
ＲＦタグ２２０は、上述したように、動作が停止している間においては、内蔵リーダライタ２１０や外部のリーダライタとの間における非接触通信によるデータの書き込みや読み出しが停止しているものの、内蔵リーダライタ２１０から送信されたコマンドのみは受信可能な状態となっているため、内蔵リーダライタ２１０から送信された動作再開命令を受信することができる。
【００６１】
アンテナ２１１を介して送信された動作再開命令がＲＦタグ２２０のアンテナ２２１を介してタグ本体部２２２にて受信されると、制御部２２４が睡眠フラグを“０”に設定し（ステップ１０８）、それにより、ＲＦタグ２２０の動作が再開する（ステップ１０９）。
【００６２】
このような状態で、非接触通信装置２０１を外部のリーダライタに近接させると、リーダライタから送信された送信データが、ＲＦタグ２２０のアンテナ２２１を介してタグ本体部２２２にて受信され、その後、その送信データに対してタグ本体部２２２からデータをアンテナ２２１を介して電磁波として送信することにより、リーダライタとＲＦタグ２２０との間にてデータの送受信が行われることになる。この際、リーダライタ本体部２１２からのアンテナ２１１を介しての電磁波として送信データの送信が停止しているため、ＲＦタグ２２０におけるアンテナ２２１を介してのデータの受信が、内蔵リーダライタ２１０の影響を受けることはない。
【００６３】
このように、本形態においては、筐体２３０内に、電磁波を送受信することでＲＦＩＤメディアに対して非接触状態にてデータの書き込みや読み出しを行う内蔵リーダライタ２１０と、内蔵リーダライタ２１０の規格と同一規格を具備し、リーダライタによって非接触状態にてデータの書き込みや読み出しが行われるＲＦタグ２２０とをただ単に内蔵する構成とすることにより、廉価な構成で、リーダライタ機能とＲＦＩＤメディア機能とを持たせることができる。また、内蔵リーダライタ２１０からデータの書き込みや読み出しに用いる電磁波を送信する際、ＣＰＵ２４０が、ＲＦタグ２２０の動作を停止させる動作停止命令を内蔵リーダライタ２１０を介してＲＦタグ２２０に送信することで、ＲＦタグ２２０の動作が停止するので、その後、近接したＲＦＩＤメディアに対して内蔵リーダライタ２１０がデータの書き込みや読み出しを行う場合に、ＲＦタグ２２０に対してもデータの書き込みや読み出しが行われてしまうことを、ＲＦタグ２２０に新たなハードウェアを追加することなく回避することができる。
【００６４】
なお、上述した実施の形態に示した内蔵リーダライタ及びＲＦタグは、互いに同一規格を有するものに限らず、互換性がある規格を有するものであればよい。また、非接触通信の方式も、上述した電磁誘導方式に限らず、電波方式や電磁結合方式のものを適用してもよい。
【符号の説明】
【００６５】
１，１０１，２０１    非接触通信装置
２    ＩＣタグ
３    リーダライタ
１０，２１０    内蔵リーダライタ
１１，２１，２１１，２２１    アンテナ
１２，１１２，２１２    リーダライタ本体部
１３，１１３，２１３    変調部
１４，１１４，２１４    復調部
１５，２４，１１５，１２４，２１５，２２４    制御部
２０，２２０    ＲＦタグ
２２，１２２，２２２    タグ本体部
２３，１２３，２２３    インタフェース部
２５，１２５，２２５    メモリ
２６，１２６    スイッチ
３０，１３０，２３０    筐体
４０，１４０，２４０    ＣＰＵ
１５０    共用アンテナ
【図１】
2016218828.tif 000003
【図２】
2016218828.tif 000004
【図３】
2016218828.tif 000005
【図４】
2016218828.tif 000006
【図５】
2016218828.tif 000007
【図６】
2016218828.tif 000008
【図７】
2016218828.tif 000009
【図８】
2016218828.tif 000010